(57)【要約】【課題】ユーザによるアンテナスルー機能の使用を確保しながら、十分に省電力化を図ることが可能な受信システムを提供する。【解決手段】この受信システム１００は、受信したテレビジョン放送信号をＴＶ装置２に伝送する地デジチューナ２２ａおよびＢＳチューナ２２ｂと、ＴＶ装置２の電源状態についての信号を受信可能なＨＤＭＩ端子３４と、少なくとも地デジチューナ２２ａおよびＢＳチューナ２２ｂに電力が供給される通常待機モードおよび少なくとも地デジチューナ２２ａおよびＢＳチューナ２２ｂに電力が供給されない省エネ待機モードを含む待機モードに動作制御可能な制御部２１とを備え、制御部２１は、ＴＶ装置２が待機状態に移行したＣＥＣ信号を受信した場合、または、ＴＶ装置２が電源オフ状態になり応答がなくなった場合に、省エネ待機モードに切り替える制御を行うように構成されている。【選択図】図１
2014003499.tif 000002
【特許請求の範囲】
【請求項１】
テレビジョン放送信号を受信するとともに、受信したテレビジョン放送信号を表示装置に伝送する受信部と、
前記表示装置から前記表示装置の電源状態についての信号を受信可能な接続部と、
少なくとも前記受信部に電力が供給される通常待機モード、および、少なくとも前記受信部に電力が供給されない省エネ待機モードを含む待機モードに動作制御可能な制御部とを備え、
前記制御部は、前記通常待機モードの状態において、前記表示装置が待機状態に移行したことを通知する信号を前記接続部を介して受信した場合、または、前記表示装置が電源オフ状態になったことにより前記表示装置からの応答についての信号が前記接続部を介して受信されなくなった場合に、前記通常待機モードから前記省エネ待機モードに切り替える制御を行うように構成されている、受信装置。
【請求項２】
前記制御部は、前記表示装置が待機状態または電源オフ状態に移行しない場合でも、前記テレビジョン放送に含まれる番組情報に基づいて、番組の放送がない時間帯には前記通常待機モードから前記省エネ待機モードに切り替える制御を行うように構成されている、請求項１に記載の受信装置。
【請求項３】
前記制御部は、前記表示装置が待機状態または電源オフ状態に移行しない場合でも、前記番組情報に基づいて、番組の放送がない時間帯には前記表示装置を待機状態に切り替える制御信号を前記表示装置に送信する制御を行うように構成されている、請求項２に記載の受信装置。
【請求項４】
前記制御部は、前記表示装置が待機状態または電源オフ状態に移行しない場合でも、前記番組情報に基づいて、番組の放送がない時間帯には次の番組の開始時刻を記憶した状態で前記通常待機モードから前記省エネ待機モードに切り替え、次の番組の開始時刻の所定時刻の前に前記通常待機モードに切り替える制御を行うように構成されている、請求項２または３に記載の受信装置。
【請求項５】
前記制御部は、省エネ待機モードの状態において、前記表示装置が電源オン状態に移行した際に、前記表示装置が電源オン状態に移行したことを通知する信号を受信した場合には前記通常待機モードに切り替える制御を行うように構成されている、請求項１〜４のいずれか１項に記載の受信装置。
【請求項６】
前記表示装置に接続される前記接続部は、音声データ、映像データ、制御信号および電力を伝送可能な所定のケーブルに接続され、制御信号により機器間で相互に制御することが可能なインターフェース規格に準拠するように構成され、
前記制御部は、前記通常待機モードの状態において、前記表示装置が待機状態または電源オフ状態に移行したことを通知する制御信号を前記インターフェース規格に準拠した接続部を介して受信した場合に、前記通常待機モードから前記省エネ待機モードに切り替える制御を行うように構成されている、請求項１〜５のいずれか１項に記載の受信装置。
【請求項７】
表示装置と、
テレビジョン放送信号を受信するとともに、受信したテレビジョン放送信号を前記表示装置に伝送する受信部と、前記表示装置から前記表示装置の電源状態についての信号を受信可能な接続部と、少なくとも前記受信部に電力が供給される通常待機モード、および、少なくとも前記受信部に電力が供給されない省エネ待機モードを有する待機モードに動作制御可能な制御部とを含む受信装置とを備え、
前記制御部は、前記通常待機モードの状態において、前記表示装置が待機状態に移行したことを通知する信号を前記接続部を介して受信した場合、または、前記表示装置が電源オフ状態になったことにより前記表示装置からの応答についての信号が前記接続部を介して受信されなくなった場合に、前記通常待機モードから前記省エネ待機モードに切り替える制御を行うように構成されている、受信システム。
【発明の詳細な説明】
【技術分野】
【０００１】
この発明は、受信装置および受信システムに関し、特に、待機モードを有する受信装置および受信システムに関する。
【背景技術】
【０００２】
従来、待機モードを有する受信システムが知られている（たとえば、特許文献１参照）。
【０００３】
上記特許文献１には、テレビ（表示装置）と、テレビに接続されるＤＶＤレコーダ（受信装置）とを備えた省電力システム（受信システム）が開示されている。このＤＶＤレコーダは、テレビジョン放送信号を受信するチューナ（受信部）と、テレビからテレビの電源状態についての信号を受信可能なＣＥＣ通信部（接続部）とを含んでいる。また、このＤＶＤレコーダは、一部の機能を無効にして消費電力を小さくする電源オフ動作モード１と、電源オフ動作モード１よりも多くの機能を無効にして電源オフ動作モード１より消費電力を小さくする電源オフ動作モード２との２つの電源オフ動作モード（待機モード）を切り替え可能なマイコン（制御部）を含む。また、このＤＶＤレコーダは、テレビが電源オフ状態に移行したことを通知する信号をＣＥＣ通信部を介して受信した場合、電源オフ動作モード１から消費電力がより小さい電源オフ動作モード２に切り替える制御を行うように構成されている。また、このＤＶＤレコーダでは、電源オフ動作モード１および電源オフ動作モード２のいずれの場合にも、録画機能が有効となるようにチューナに電力が供給されている。
【０００４】
また、従来、受信装置のチューナにより受信された放送を、表示装置に送信して表示装置で視聴するアンテナスルー機能が知られている。
【先行技術文献】
【特許文献】
【０００５】
【特許文献１】ＷＯ２００９／１０１８０４号公報
【発明の概要】
【発明が解決しようとする課題】
【０００６】
上記特許文献１の受信システムの構成では、テレビがオフ状態にされた場合に、電源オフ動作モード２に切り替えて省電力化を図ることが可能である一方、電源オフ動作モード１および電源オフ動作モード２のいずれの場合でも、比較的消費電力が大きいチューナには電力が供給され続ける。このため、上記特許文献１の省電力システムの構成に、上記アンテナスルー機能を適用した場合には、テレビの電源がオフ状態にされてユーザがアンテナスルー機能を使わない状態であるにもかかわらず、比較的消費電力が大きいチューナ（受信部）に電力が供給され続けるので、十分に省電力化を図ることができないという問題点があると考えられる。
【０００７】
この発明は、上記のような課題を解決するためになされたものであり、この発明の１つの目的は、ユーザによるアンテナスルー機能の使用を確保しながら、十分に省電力化を図ることが可能な受信装置および受信システムを提供することである。
【課題を解決するための手段】
【０００８】
この発明の第１の局面による受信装置は、テレビジョン放送信号を受信するとともに、受信したテレビジョン放送信号を表示装置に伝送する受信部と、表示装置から表示装置の電源状態についての信号を受信可能な接続部と、少なくとも受信部に電力が供給される通常待機モード、および、少なくとも受信部に電力が供給されない省エネ待機モードを含む待機モードに動作制御可能な制御部とを備え、制御部は、通常待機モードの状態において、表示装置が待機状態に移行したことを通知する信号を接続部を介して受信した場合、または、表示装置が電源オフ状態になったことにより表示装置からの応答についての信号が接続部を介して受信されなくなった場合に、通常待機モードから省エネ待機モードに切り替える制御を行うように構成されている。
【０００９】
この第１の局面による受信装置では、上記のように、通常待機モードの状態において、表示装置が待機状態に移行したことを通知する信号を接続部を介して受信した場合、または、表示装置が電源オフ状態になったことにより表示装置からの応答についての信号が接続部を介して受信されなくなった場合に、通常待機モードから省エネ待機モードに切り替える制御を行うように制御部を構成することによって、ユーザが表示装置を待機状態または電源オフ状態にして表示装置で番組を視聴しない場合には、アンテナスルー機能を使う必要がないので、省エネ待機モードに切り替えて受信部への電力の供給を停止することができるとともに、表示装置の電源がオン状態でアンテナスルー機能を使う可能性がある場合には、通常待機モードで受信部に電力を供給してアンテナスルー機能を使用可能な状態にしておくことができる。これにより、ユーザがアンテナスルー機能の使用を確保しながら、十分に省電力化を図ることができる。
【００１０】
上記第１の局面による受信装置において、好ましくは、制御部は、表示装置が待機状態または電源オフ状態に移行しない場合でも、テレビジョン放送に含まれる番組情報に基づいて、番組の放送がない時間帯には通常待機モードから省エネ待機モードに切り替える制御を行うように構成されている。このように構成すれば、表示装置が待機状態または電源オフ状態に移行されない場合でも、番組の放送がない時間帯には、ユーザによりアンテナスルー機能が使われないので、通常待機モードから省エネ待機モードに切り替えて、十分に省電力化を図ることができる。
【００１１】
この場合、好ましくは、制御部は、表示装置が待機状態または電源オフ状態に移行しない場合でも、番組情報に基づいて、番組の放送がない時間帯には表示装置を待機状態に切り替える制御信号を表示装置に送信する制御を行うように構成されている。このように構成すれば、番組の放送がない時間帯であるにもかかわらず電源がオン状態のままになっている表示装置を待機状態に切り替えることができるので、受信装置の省電力化のみならず、表示装置の省電力化も図ることができる。
【００１２】
上記番組情報に基づいて、通常待機モードから省エネ待機モードに切り替える制御を行う構成において、好ましくは、制御部は、表示装置が待機状態または電源オフ状態に移行しない場合でも、番組情報に基づいて、番組の放送がない時間帯には次の番組の開始時刻を記憶した状態で通常待機モードから省エネ待機モードに切り替え、次の番組の開始時刻の所定時刻の前に通常待機モードに切り替える制御を行うように構成されている。このように構成すれば、次の番組の開始時刻に自動的に通常待機モードに切り替えられるので、番組の放送がないことに起因して省エネ待機モードに切り替えられた場合でもユーザは、確実に次の番組を視聴することができる。
【００１３】
上記第１の局面による受信装置において、好ましくは、制御部は、省エネ待機モードの状態において、表示装置が電源オン状態に移行した際に、表示装置が電源オン状態に移行したことを通知する信号を受信した場合には通常待機モードに切り替える制御を行うように構成されている。このように構成すれば、一旦、省エネ待機モードに切り替えられた場合でも、表示装置が電源オン状態にされることによりユーザがアンテナスルー機能を使用する可能性がある状態になると、通常待機モードに切り替えてユーザがアンテナスルー機能を使える状態に戻すことができる。
【００１４】
上記第１の局面による受信装置において、好ましくは、表示装置に接続される接続部は、音声データ、映像データ、制御信号および電力を伝送可能な所定のケーブルに接続され、制御信号により機器間で相互に制御することが可能なインターフェース規格に準拠するように構成され、制御部は、通常待機モードの状態において、表示装置が待機状態または電源オフ状態に移行したことを通知する制御信号を上記インターフェース規格に準拠した接続部を介して受信した場合に、通常待機モードから省エネ待機モードに切り替える制御を行うように構成されている。このように構成すれば、音声データ、映像データ、制御信号および電力を伝送可能な所定のケーブルを用いて、容易に、表示装置および受信装置を接続することができる。
【００１５】
この発明の第２の局面による受信システムは、表示装置と、テレビジョン放送信号を受信するとともに、受信したテレビジョン放送信号を表示装置に伝送する受信部と、表示装置から表示装置の電源状態についての信号を受信可能な接続部と、少なくとも受信部に電力が供給される通常待機モード、および、少なくとも受信部に電力が供給されない省エネ待機モードを有する待機モードに動作制御可能な制御部とを含む受信装置とを備え、制御部は、通常待機モードの状態において、表示装置が待機状態に移行したことを通知する信号を接続部を介して受信した場合、または、表示装置が電源オフ状態になったことにより表示装置からの応答についての信号が接続部を介して受信されなくなった場合に、通常待機モードから省エネ待機モードに切り替える制御を行うように構成されている。
【００１６】
この第２の局面による受信システムでは、上記のように、通常待機モードの状態において、表示装置が待機状態に移行したことを通知する信号を接続部を介して受信した場合、または、表示装置が電源オフ状態になったことにより表示装置からの応答についての信号が接続部を介して受信されなくなった場合に、通常待機モードから省エネ待機モードに切り替える制御を行うように制御部を構成することによって、ユーザが表示装置を待機状態または電源オフ状態にして表示装置で番組を視聴しない場合には、アンテナスルー機能を使う必要がないので、省エネ待機モードに切り替えて受信部への電力の供給を停止することができるとともに、表示装置の電源がオン状態でアンテナスルー機能を使う可能性がある場合には、通常待機モードで受信部に電力を供給してアンテナスルー機能を使用可能な状態にしておくことができる。これにより、ユーザがアンテナスルー機能を使えなくなるのを抑制しながら、省電力化を図ることができる。
【発明の効果】
【００１７】
本発明によれば、上記のように、ユーザによるアンテナスルー機能の使用を確保しながら、十分に省電力化を図ることができる。
【図面の簡単な説明】
【００１８】
【図１】本発明の一実施形態による受信システムの構成を示したブロック図である。
【図２】本発明の一実施形態による受信システムのＢＤレコーダにおける電力供給の状態を示した図である。
【図３】本発明の一実施形態による受信システムのＢＤレコーダのＥＰＧの内容を示した図である。
【図４】本発明の一実施形態による受信システムの通常待機モードから省エネ待機モードへの切替処理を説明するためのフローチャートである。
【図５】本発明の一実施形態による受信システムの番組の放送がない時間帯から番組の放送がある時間帯に移行する際の通常待機モードへの切替処理を説明するためのフローチャートである。
【発明を実施するための形態】
【００１９】
以下、図１〜図３を参照して、本発明の一実施形態による受信システム１００の構成について説明する。
【００２０】
本発明の一実施形態による受信システム１００は、図１に示すように、ＢＤ（ブルーレイディスク）レコーダ１と、ＴＶ（テレビジョン）装置２とを備えている。ＢＤレコーダ１およびＴＶ装置２は、映像・音声ケーブル７０およびＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブル７１のそれぞれを介して接続されている。なお、ＢＤレコーダ１は、本発明の「受信装置」の一例である。また、ＴＶ装置２は、本発明の「表示装置」の一例である。
【００２１】
本発明の一実施形態によるＢＤレコーダ１は、図１に示すように、装置本体１０の制御回路部２０が、地デジ（地上デジタルテレビ放送）アンテナ４０ａにアンテナケーブル６０ａを介して接続されることによって、地デジの放送局からＴＶ番組を受信することが可能なように構成されている。また、ＢＤレコーダ１は、装置本体１０の制御回路部２０が、ＢＳ（Ｂｒｏａｄｃａｓｔｉｎｇ  Ｓａｔｅｌｌｉｔｅ）アンテナ４０ｂにアンテナケーブル６０ｂを介して接続されることによって、ＢＳ放送局からＴＶ番組を受信することが可能なように構成されている。また、ＢＤレコーダ１は、装置本体１０の制御回路部２０が、ＴＶ装置２に映像・音声ケーブル７０を介して接続されることによって、地デジの放送局およびＢＳ放送局から受信されたＴＶ番組を視聴することが可能なように構成されている。
【００２２】
また、ＢＤレコーダ１は、アンテナスルー機能を有している。詳細には、ＢＤレコーダ１は、地デジチューナ２２ａおよびＴＶ装置２を接続して、地デジチューナ２２ａで受信したＴＶ放送信号をＴＶ装置２に伝送可能なように構成されている。また、ＢＤレコーダ１は、ＢＳチューナ２２ｂおよびＴＶ装置２を接続して、ＢＳチューナ２２ｂで受信したＴＶ放送信号をＴＶ装置２に伝送可能なように構成されている。また、ＢＤレコーダ１は、指定時刻に映像および音声を録画する録画予約機能を有している。また、ＢＤレコーダ１には、図１に示すように、ＢＤレコーダ１を遠隔操作するためのリモコン送信機８０が設けられている。
【００２３】
ここで、本実施形態では、ＢＤレコーダ１は、後述する地デジチューナ２２ａおよびＢＳチューナ２２ｂに電力が供給される通常待機モードと、地デジチューナ２２ａおよびＢＳチューナ２２ｂに電力が供給されない省エネ待機モードとの２つの待機モードを含む。また、ＢＤレコーダ１は、所定時間（たとえば、３０分間）操作が行われない場合に、所定時間経過後、省エネ待機モードに切り替わるスリープ機能を有している。
【００２４】
詳細には、通常待機モードの状態では、図２に示すように、制御部２１、地デジチューナ２２ａ、ＢＳチューナ２２ｂ、後述するＢＳ用ブースタ２６および表示管２７に電力が供給されている。また、地デジ用デコーダ２４ａ、ＢＳ用デコーダ２４ｂおよび後述するＨＤＤ部２９には電力が供給されていない。なお、通常待機モード時のＢＤレコーダ１の消費電力は、約０．８Ｗである。
【００２５】
省エネ待機モードの状態では、図２に示すように、地デジチューナ２２ａ、ＢＳチューナ２２ｂ、ＢＳ用ブースタ２６、表示管２７、地デジ用デコーダ２４ａ、ＢＳ用デコーダ２４ｂおよびＨＤＤ部２９には、電力が供給されていない。一方、制御部２１には電力が供給されており、最小限の機能のみが有効である。なお、通常待機モード時のＢＤレコーダ１の消費電力は、約０．１Ｗである。
【００２６】
電源Ｏｆｆ状態では、図２に示すように、ＢＤレコーダ１の全ての電子部品に電力が供給されていない。すなわち、電源Ｏｆｆ時のＢＤレコーダ１の消費電力は、０Ｗである。
【００２７】
電源Ｏｎ状態では、図２に示すように、ＢＤレコーダ１の全ての電子部品に電力が供給されている。すなわち、電源Ｏｎ状態では、ＢＤレコーダ１の全ての機能を使用することが可能である。また、電源Ｏｎ時のＢＤレコーダ１の消費電力は、約１８Ｗである。
【００２８】
ＴＶ装置２は、電源Ｏｎ状態および電源Ｏｆｆ状態に加えて、一部の機能が制限されることにより、ＴＶ装置本体２ａで使用される電力を低減可能な待機状態のモードを含む。また、ＴＶ装置２は、ユーザの操作により待機状態および電源Ｏｎ状態が切り替えられるように構成されている。
【００２９】
制御回路部２０には、図１に示すように、ＢＤレコーダ１の制御を行う制御部２１が設けられている。制御部２１については、後ほど詳細に説明する。また、制御回路部２０には、地デジアンテナ４０ａによって受信された放送波から所望の地デジの放送局の信号波を選局して受信する地デジチューナ２２ａが設けられている。地デジチューナ２２ａは、放送波により放送信号と後述するＥＰＧ９０（Ｅｌｅｃｔｒｉｃ  Ｐｒｏｇｒａｍ  Ｇｕｉｄｅ）（電子番組表）（図３参照）の情報とを受信可能に構成されている。なお、地デジチューナ２２は、本発明の「受信部」の一例である。また、ＥＰＧ９０の情報は、本発明の「番組情報」の一例である。
【００３０】
また、制御回路部２０には、図１に示すように、ＢＳアンテナ４０ｂによって受信された放送波から所望のＢＳ放送局の信号波を選局して受信するＢＳチューナ２２ｂが設けられている。また、ＢＳチューナ２２ｂは、本発明の「受信部」の一例である。
【００３１】
また、制御回路部２０は、図１に示すように、地デジチューナ２２ａで受信された信号波から放送信号としての映像・音声信号およびＥＰＧ９０の情報を含むサービス情報（ＰＳＩ／ＳＩ：Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）を分離するデマルチプレクサ（ＤＥＭＵＸ）２３と、デマルチプレクサ（ＤＥＭＵＸ）２３によって分離された映像・音声信号をデコード（復号）する地デジ用デコーダ２４ａと、デマルチプレクサ（ＤＥＭＵＸ）２３によって分離されたサービス情報（ＰＳＩ／ＳＩ）に基づいて制御部２１によって作成されたＥＰＧ９０を保存するメモリ部２５とを備えている。
【００３２】
また、ＥＰＧ９０の情報は、ホスト局の放送波とともに、１日複数回（５回〜１６回：配信回数は放送局によって異なる）所定の時間に配信される前述のサービス情報（ＰＳＩ／ＳＩ）に含まれる形で配信されている。そして、サービス情報（ＰＳＩ／ＳＩ）が含まれた放送波を受信した上で、ＢＤレコーダ１によってＥＰＧ９０が内部的に作成される。
【００３３】
また、制御回路部２０は、図１に示すように、ＢＳチューナ２２ｂで受信された放送信号としての映像・音声信号をデコード（復号）するＢＳ用デコーダ２４ｂを備えている。また、ＢＳアンテナ４０ｂとＢＳチューナ２２ｂとの間には、ＢＳ用ブースタ２６が設けられている。また、ＢＳ用ブースタ２６は、受信されたＢＳ放送信号の電波を増幅する機能を有する。
【００３４】
また、制御回路部２０は、図１に示すように、ＢＤレコーダ本体１ａの動作状態などが表示される表示管２７と、リモコン送信機８０からのリモコン信号を受光するリモコン受光部２８と、映像・音声データを記録するＨＤＤ部（ハードディスクドライブ部）２９と、制御部２１の制御プログラムを格納するプログラム格納メモリ部３０と、制御部２１から出力指示された文字情報や色情報に基づく映像データを、ＴＶ装置２により出力される受信映像データに組み込む処理を行うＯＳＤ部（オンスクリーンディスプレイ部）３１と、映像出力端子および音声出力端子から構成されＴＶ装置２への接続端子となるＡＶ出力端子３２とをさらに備えている。ＨＤＤ部２９は、地デジチューナ２２ａによって受信されたテレビ番組の信号波が地デジ用デコーダ２４ａによって記録可能なデータ形式に変換された映像・音声データを記録可能なように構成されている。ＨＤＤ部２９は、ＢＳチューナ２２ｂによって受信されたテレビ番組の信号波がＢＳ用デコーダ２４ｂによって記録可能なデータ形式に変換された映像・音声データを記録可能なように構成されている。
【００３５】
また、ＢＤレコーダ１が有するＯＳＤ機能によって、ＥＰＧ９０（図３参照）を視認可能なようにＴＶ装置２に表示可能である。ＥＰＧ９０には、ＡＡＡ放送、ＢＢＢ放送およびＣＣＣ放送の所定時刻における番組が表示されている。たとえば、ＢＢＢ放送の５時から６時の時間帯には、天気予報が放送されることを示している。また、ＡＡＡ放送の２６時から２７時の時間帯には番組の放送がないことを示している。また、ユーザは、このＥＰＧ９０を参照することによって、テレビ番組の記録予約を行うことが可能なように構成されている。
【００３６】
また、地デジチューナ２２ａは、映像および音声データを含む高周波デジタル変調信号のうちから任意に選択された周波数のデジタル変調信号を取り出すように構成され、選択されたデジタル変調信号を復調して出力する機能を有するように構成されている。また、デマルチプレクサ（ＤＥＭＵＸ）２３は、地デジチューナ２２ａから出力された信号を、映像信号、音声信号およびサービス情報（ＰＳＩ／ＳＩ）に分離するとともに、分離された映像信号および音声信号を地デジ用デコーダ２４ａに供給する一方、サービス情報（ＰＳＩ／ＳＩ）をバス３３を介して制御部２１に供給する機能を有するように構成されている。
【００３７】
また、地デジ用デコーダ２４ａおよびＢＳ用デコーダ２４ｂは、映像信号および音声信号のそれぞれに対してデコード処理（符号の復号化）を行い、映像データおよび音声データを生成する機能を有するように構成されている。なお、映像データおよび音声データはそれぞれＤ／Ａ変換処理（デジタル／アナログ変換）がなされた上で、ＡＶ出力端子３２から装置本体１０外部に接続されたＴＶ装置２に出力されるように構成されている。
【００３８】
また、ＨＤＭＩ端子３４は、音声データ、映像データ、ＣＥＣ信号および電力を伝送可能なＨＤＭＩケーブル７１が接続されるように構成されている。ＣＥＣ信号は、ＨＤＭＩ端子３４を介して、ＢＤレコーダ１およびＴＶ装置２間で双方向に伝送可能である。また、制御部２１は、ＣＥＣ信号により、ＢＤレコーダ１およびＴＶ装置２間の制御を行うことが可能なように構成されている。また、ＨＤＭＩ端子３４は、ＴＶ装置２からＴＶ装置２の電源状態についてのＣＥＣ信号を受信可能なように構成されている。なお、ＨＤＭＩ端子３４は、本発明の「接続部」の一例である。また、ＨＤＭＩケーブル７１は、本発明の「所定のケーブル」の一例である。また、ＣＥＣ信号は、本発明の「制御信号」の一例である。
【００３９】
また、ＴＶ装置２が待機状態に移行した際には、待機状態に移行した旨のＣＥＣ信号が、ＴＶ装置２からＢＤレコーダ１にＨＤＭＩケーブル７１を介して伝送される。なお、ＴＶ装置２が待機状態に移行した旨のＣＥＣ信号は、ＴＶ装置２が待機状態になった場合にも、ＢＤレコーダ１に対して伝送可能である。
【００４０】
また、ＢＤレコーダ１およびＴＶ装置２の接続を確認するＣＥＣ信号が、ＢＤレコーダ１からＴＶ装置２にＨＤＭＩケーブル７１を介して伝送されている。また、ＴＶ装置２は、電源Ｏｎ状態または待機状態の場合には、ＢＤレコーダ１から伝送されるＢＤレコーダ１およびＴＶ装置２の接続を確認するＣＥＣ信号に対して、応答を行うように構成されている。すなわち、ＴＶ装置２が電源Ｏｆｆ状態になった場合には、ＢＤレコーダ１から伝送されるＢＤレコーダ１およびＴＶ装置２の接続を確認するＣＥＣ信号に対して応答がされない。これにより、ＢＤレコーダ１は、ＴＶ装置２が電源Ｏｆｆ状態に移行したことを判断することが可能である。
【００４１】
制御部２１は、地デジチューナ２２ａおよびＢＳチューナ２２ｂに電力が供給される通常待機モード、および、地デジチューナ２２ａおよびＢＳチューナ２２ｂに電力が供給されない省エネ待機モードを含む待機モードに動作制御可能なように構成されている。制御部２１は、通常待機モードの状態において、ＴＶ装置２が待機状態に移行したことを通知するＣＥＣ信号を受信した場合に、通常待機モードから省エネ待機モードに切り替える制御を行うように構成されている。また、制御部２１は、通常待機モードの状態において、ＴＶ装置２が電源オフ状態になったことによりＴＶ装置２からの応答がなくなった（応答についての信号が受信されなくなった）場合に、通常待機モードから省エネ待機モードに切り替える制御を行うように構成されている。また、制御部２１は、省エネ待機モードの状態においてＴＶ装置２が電源オン状態に移行した際に、ＴＶ装置２が電源オン状態に移行したことを通知するＣＥＣ信号を受信した場合には通常待機モードに切り替える制御を行うように構成されている。
【００４２】
また、制御部２１は、ＥＰＧ９０の情報に基づいて、番組の放送がない時間帯を判別可能なように構成されている。制御部２１は、ＴＶ装置２が待機状態または電源オフ状態に移行しない場合でも、テレビジョン放送に含まれるＥＰＧ９０の情報に基づいて、番組の放送がない時間帯には通常待機モードから省エネ待機モードに切り替える制御を行うように構成されている。具体的には、図３を参照して、制御部２１は、ＡＡＡ放送、ＢＢＢ放送およびＣＣＣ放送のうちの全ての放送局で番組が放送終了した時刻を判断する。そして、制御部２１は、ＡＡＡ放送、ＢＢＢ放送およびＣＣＣ放送のうち最後に放送が終了されるＡＡＡ放送で番組の放送が終了する時刻（２６時）になると、通常待機モードから省エネ待機モードに切り替える制御を行うように構成されている。また、この際、制御部２１は、ＴＶ装置２を待機状態に切り替えるＣＥＣ信号をＴＶ装置２に伝送する制御を行うように構成されている。
【００４３】
制御部２１は、図３を参照して、ＡＡＡ放送、ＢＢＢ放送およびＣＣＣ放送のうちの全ての放送局で番組が最初に放送を開始する時刻を判断する。制御部２１は、ＡＡＡ放送、ＢＢＢ放送およびＣＣＣ放送のうち最初に放送が開始されるＢＢＢ放送およびＣＣＣ放送で番組の放送が開始される時刻（４時）になると、省エネ待機モードから通常待機モードに切り替える制御を行うように構成されている。また、制御部２１は、次の番組の開始時刻の所定時間前（たとえば、５分前）に通常待機モードに切り替える制御を行うように構成されている。
【００４４】
また、制御部２１は、省エネ待機モードまたは通常待機モードの場合に、ＢＤレコーダ１に録画予約が設定されていれば、録画予約の時刻になるとＢＤレコーダ１を電源Ｏｎ状態に切り替えて録画を開始する制御を行うように構成されている。また、制御部２１は、録画予約されている番組の録画を終了した後、省エネ待機モードまたは通常待機モードのいずれか元のモードに切り替える（戻す）制御を行うように構成されている。
【００４５】
次に、図４を参照して、本実施形態の受信システム１００のＢＤレコーダ１の制御部２１の省エネモードへの切替処理について説明する。また、省エネモードへの切替処理は、ＢＤレコーダ１が通常待機モードであり、かつ、ＴＶ装置２が電源Ｏｎ状態の場合に実行される。
【００４６】
まず、ステップＳ１において、ＴＶ装置２の状態が待機状態または電源Ｏｆｆ状態か否かが判断される。具体的には、ＴＶ装置２が待機モードになった旨のＣＥＣ信号が受信されたか否か、および、ＢＤレコーダ１およびＴＶ装置２の接続を確認するＣＥＣ信号に対してＴＶ装置２から応答がないか否かが判断される。ステップＳ１において、ＴＶ装置２が待機モードになった旨のＣＥＣ信号が受信されない場合、または、ＢＤレコーダ１およびＴＶ装置２の接続を確認するＣＥＣ信号に対してＴＶ装置２から応答がある場合には、ステップＳ２に進む。
【００４７】
また、ステップＳ１において、ＴＶ装置２が待機モードになった旨のＣＥＣ信号が受信された場合、または、ＢＤレコーダ１およびＴＶ装置２の接続を確認するＣＥＣ信号に対してＴＶ装置２から応答がない場合には、ステップＳ６に進み、省エネ待機モードに切り替えられる。その後、省エネモードへの切替処理を終了する。
【００４８】
この際、ＢＤレコーダ１にスリープ機能が設定されている場合でも、ＴＶ装置２が待機モードになった旨のＣＥＣ信号が受信された後、または、ＢＤレコーダ１およびＴＶ装置２の接続を確認するＣＥＣ信号に対してＴＶ装置２から応答がないと判断された後、直ちに省エネ待機モードに切り替えられる。
【００４９】
ステップＳ２において、現在の時刻に番組の放送があるか否かが判断される。ステップＳ２において、現在の時刻に番組の放送があると判断された場合、ステップＳ４に進む。また、現在の時刻に番組の放送があると判断されない場合、ステップＳ３に進み、通常待機モードが維持される。その後、省エネモードへの切替処理を終了する。
【００５０】
ステップＳ４において、ＴＶ装置２を待機状態にするＣＥＣ信号がＴＶ装置２に伝送される。これにより、ＴＶ装置２は待機状態に移行される。その後、ステップＳ５に進む。
【００５１】
ステップＳ５において、次の番組の開始時刻が記憶される。たとえば、図３を参照して、最初に放送が開始されるＢＢＢ放送およびＣＣＣ放送で番組の放送が開始される時刻（４時）が記憶される。その後、ステップＳ６に進む。
【００５２】
ステップＳ６において、省エネ待機モードに切り替えられる。その後、省エネモードへの切替処理を終了する。
【００５３】
次に、図５を参照して、本実施形態の受信システム１００のＢＤレコーダ１の制御部２１により実行される通常待機モードへの切替処理について説明する。具体的には、図５を参照して、番組の放送がない時間帯から番組の放送がある時間帯に移行する際の通常待機モードへの切り替え処理フローについて説明する。
【００５４】
ステップＳ１１において、番組が開始される所定時間前（たとえば、５分前）になったか否かが判断される。ステップＳ１１において、番組が開始される所定時間前になるまでこの判断が繰り返され、番組が開始される所定時間前になると、ステップＳ１２に進む。
【００５５】
ステップＳ１２において、ＴＶ装置２から電源Ｏｎ状態になった旨のＣＥＣ信号を受信したか否かが判断される。ステップＳ１２において、ＴＶ装置２から電源Ｏｎ状態になった旨のＣＥＣ信号を受信したと判断されない場合には、通常待機モードへの切替処理を終了する。ステップＳ１２において、ＴＶ装置２から電源Ｏｎ状態になった旨のＣＥＣ信号を受信したと判断された場合には、ステップＳ１３に進み、通常待機モードに切り替えられる。その後、通常待機モードへの切替処理を終了する。
【００５６】
なお、番組が放送されている時間帯における通常待機モードへの切替処理では、ＴＶ装置２から電源Ｏｎ状態になった旨のＣＥＣ信号を受信したか否かが判断される。そして、ＴＶ装置２から電源Ｏｎ状態になった旨のＣＥＣ信号を受信するまでこの判断が繰り返され、ＴＶ装置２から電源Ｏｎ状態になった旨のＣＥＣ信号を受信すると通常待機モードに切り替えられる。その後、通常待機モードへの切替処理を終了する。
【００５７】
本実施形態では、上記のように、通常待機モードの状態において、ＴＶ装置２が待機状態に移行したことを通知するＣＥＣ信号を受信した場合、または、ＴＶ装置２が電源オフ状態になったことによりＴＶ装置２からの応答がなくなった場合に、通常待機モードから省エネ待機モードに切り替える制御を行うように制御部２１を構成する。これにより、ユーザがＴＶ装置２を待機状態または電源オフ状態にしてＴＶ装置２で番組を視聴しない場合には、アンテナスルー機能を使う必要がないので、省エネ待機モードに切り替えて地デジチューナ２２ａおよびＢＳチューナ２２ｂへの電力の供給を停止することができるとともに、ＴＶ装置２の電源がオン状態でアンテナスルー機能を使う可能性がある場合には、通常待機モードで地デジチューナ２２ａおよびＢＳチューナ２２ｂに電力を供給してアンテナスルー機能を使用可能な状態にしておくことができる。これにより、ユーザによるアンテナスルー機能の使用を確保しながら、十分に省電力化を図ることができる。
【００５８】
本実施形態では、上記のように、ＴＶ装置２が待機状態または電源オフ状態に移行しない場合でも、テレビジョン放送に含まれるＥＰＧ９０の情報に基づいて、番組の放送がない時間帯には通常待機モードから省エネ待機モードに切り替える制御を行うように制御部２１を構成する。これにより、ＴＶ装置２が待機状態または電源オフ状態に移行されない場合でも、番組の放送がない時間帯には、通常待機モードから省エネ待機モードに切り替えて、十分に省電力化を図ることができる。
【００５９】
本実施形態では、上記のように、ＴＶ装置２が待機状態または電源オフ状態に移行しない場合でも、ＥＰＧ９０の情報に基づいて、番組の放送がない時間帯にはＴＶ装置２を待機状態に切り替えるＣＥＣ信号をＴＶ装置２に送信する制御を行うように制御部２１を構成する。これにより、番組の放送がない時間帯であるにもかかわらず電源がオン状態のままになっているＴＶ装置２を待機状態に切り替えることができるので、ＢＤレコーダ１の省電力化のみならず、ＴＶ装置２の省電力化も図ることができる。
【００６０】
本実施形態では、上記のように、ＴＶ装置２が待機状態または電源オフ状態に移行しない場合でも、ＥＰＧ９０の情報に基づいて、番組の放送がない時間帯には次の番組の開始時刻を記憶した状態で通常待機モードから省エネ待機モードに切り替え、次の番組の開始時刻の所定時刻（たとえば、５分）の前に通常待機モードに切り替える制御を行うように制御部２１を構成する。これにより、次の番組の開始時刻に自動的に通常待機モードに切り替えられるので、番組の放送がないことに起因して省エネ待機モードに切り替えられた場合でもユーザは、確実に次の番組を視聴することができる。
【００６１】
本実施形態では、上記のように、省エネ待機モードの状態において、ＴＶ装置２が電源オン状態に移行した際に、ＴＶ装置２が電源オン状態に移行したことを通知するＣＥＣ信号を受信した場合には通常待機モードに切り替える制御を行うように制御部２１を構成する。これにより、一旦、省エネ待機モードに切り替えられた場合でも、ＴＶ装置２が電源オン状態にされることによりユーザがアンテナスルー機能を使用する可能性がある状態になると、通常待機モードに切り替えてユーザがアンテナスルー機能を使える状態に戻すことができる。
【００６２】
本実施形態では、上記のように、音声データ、映像データ、ＣＥＣ信号および電力を伝送可能なＨＤＭＩケーブル７１に接続されるとともに、ＣＥＣ信号によりＢＤレコーダ１およびＴＶ装置２の間で相互に制御することが可能なＨＤＭＩ端子３４を設け、通常待機モードの状態において、ＴＶ装置２が待機状態または電源オフ状態に移行したことを通知するＣＥＣ信号をＨＤＭＩ端子３４を介して受信した場合に、通常待機モードから省エネ待機モードに切り替える制御を行うように制御部２１を構成する。これにより、音声データ、映像データ、ＣＥＣ信号および電力を伝送可能な所定のケーブルを用いて、容易に、ＴＶ装置２およびＢＤレコーダ１を接続することができる。
【００６３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６４】
上記実施形態では、本発明の受信装置の一例としてＢＤプレーヤを適用する例を示したが、本発明はこれに限られない。本発明では、ＢＤプレーヤ以外の受信装置に本発明を適用してもよい。たとえば、ＤＶＤプレーヤなど録画機能を有する受信装置であってもよいし、録画機能を有さないＳＴＢ（セットトップボックス）のような受信装置に本発明を適用してもよい。
【００６５】
上記実施形態では、本発明の表示装置の一例として、ＴＶ装置を示したが、本発明はこれに限られない。本発明では、ＴＶ装置以外の表示装置であってもよい。
【００６６】
上記実施形態では、ＢＤプレーヤ（受信装置）が、本発明の受信部として、地デジチューナおよびＢＳチューナの２つの受信部を設ける例を説明したが、本発明はこれに限られない。本発明では、１つ、または、３つ以上の受信部を設けてもよい。
【００６７】
上記実施形態では、本発明の表示装置としてのＴＶ装置の電源状態についての信号、および、機器間で相互に制御することが可能な制御信号としてＣＥＣ信号を用いる例を示したが、本発明はこれに限られない。本発明では、表示装置の電源状態についての信号、および、機器間で相互に制御することが可能な制御信号として、ＣＥＣ信号以外の信号を用いてもよい。
【００６８】
上記実施形態では、本発明の接続部としてＨＤＭＩ端子を設けた例を示したが、本発明はこれに限られない。本発明では、制御信号により機器間で相互に制御することが可能なインターフェース規格であれば、接続部はＨＤＭＩ規格以外の規格に準拠したものでもよい。
【００６９】
上記実施形態では、説明の便宜上、制御部の処理動作をスタート時はイベント駆動的に記載し、スタート以降の処理動作はフロー駆動的に記載したフローチャートを用いて説明したが、本発明はこれに限られない。制御部の処理動作を完全なイベント駆動型で行ってもよいし、完全なフロー駆動型で行ってもよいし、並行処理的に行ってもよい。
【符号の説明】
【００７０】
１  ＢＤレコーダ（受信装置）
２  ＴＶ装置（表示装置）
２１  制御部
２２ａ  地デジチューナ（受信部）
２２ｂ  ＢＳチューナ（受信部）
３４  ＨＤＭＩ端子（接続部）
７１  ＨＤＭＩケーブル（所定のケーブル）
１００  受信システム
【図１】
2014003499.tif 000003
【図２】
2014003499.tif 000004
【図３】
2014003499.tif 000005
【図４】
2014003499.tif 000006
【図５】
2014003499.tif 000007